(57)【特許請求の範囲】
【請求項１】
箱型形状に構成された調理器の底面に接続され、
前記調理器の筐体の前後方向に沿った第１支持部と、前記調理器の筐体の左右方向に沿った第２支持部とで平面視略Ｌ字状に構成されている調理器用支持装置であって、
前記第１支持部は、前記調理器の底面に接続された状態で前記調理器の底面に設けられた吸気口と重なる位置に切り欠き部が設けられている
調理器用支持装置。
【請求項２】
前記第２支持部は前記調理器の筐体の左右方向の寸法の半分以下の長さである
請求項１に記載の調理器用支持装置。
【請求項３】
内部が中空に構成されており、底面に孔部を備える
請求項１に記載の調理器用支持装置。
【請求項４】
前記第１支持部における前記第２支持部から離間する側の一端と、
前記第２支持部における前記第１の支持部の前記一端から離間する側の一端と、
前記第１支持部の他端において前記調理器に固定されている
請求項１に記載の調理器用支持装置。
【請求項５】
一対の組により構成され、前記調理器の幅方向の一方側と他方側においてそれぞれ前記調理器を支持する
請求項１に記載の調理器用支持装置。
【請求項６】
請求項１から５のいずれかに記載の調理器用支持装置と、
前記調理器用支持装置が接続される調理器と
を備える調理器セット。
【請求項７】
前記調理器の筐体の底面には穴部が形成され、
前記調理器用支持装置の上部には突部が形成されており、
前記穴部に前記突部を挿入させて前記調理器に前記調理器用支持装置を接続させる
請求項６に記載の調理器セット。
【請求項８】
請求項１から５のいずれかに記載の調理器用支持装置が接続された
脚付き調理器。
【請求項９】
前記脚付き調理器に対して、前記支持装置が着脱可能に構成されている
請求項８に記載の脚付き調理器。
【請求項１０】
前記調理器の前記筐体の底面には穴部が形成され、
前記支持装置の上部には突部が形成されており、
前記穴部に前記突部を挿入させて前記調理器に前記支持装置を接続させる
請求項９に記載の脚付き調理器。
【請求項１１】
前記支持装置は、上部に鍔部が形成されており、
前記鍔部を前記調理器の筐体の底面に当接させた状態で位置固定を可能とされている
請求項１０に記載の脚付き調理器。
【請求項１２】
前記支持装置は、平面視において互いに交差する方向に延びる複数の支持部を備えており、
前記複数の支持部を介して前記調理器の筐体の底面に接続される
請求項１０に記載の脚付き調理器。
【請求項１３】
前記調理器の筐体に対し、前記支持装置が回動可能に接続されており、
前記支持装置の状態が起立状態と倒伏状態との間で変更可能とされている
請求項１２に記載の脚付き調理器。
【請求項１４】
前記支持装置は、前記調理器の筐体にヒンジによって接続されている
請求項１３に記載の脚付き調理器。
【請求項１５】
前記支持装置を起立させた状態で固定する固定機構を備える
請求項１４に記載の脚付き調理器。
【発明の詳細な説明】
【技術分野】
【０００１】
本発明は、調理器用支持装置、調理器セットおよび脚付き調理器に関する。
【背景技術】
【０００２】
調理に用いられる調理器として、電力のみで動作する電磁調理器が知られている。電磁調理器は、誘導加熱コイルによって発生した磁束が金属の調理鍋に作用して調理鍋自体が発熱するものである。また、ガスや火を用いる調理器も広く知られている。設置する台などの高さによっては、調理器が調理に適した高さにならずに調理がしにくいという問題がある。そこで、調理器の底面に脚を設ける提案がなされている。
【先行技術文献】
【特許文献】
【０００３】
【特許文献１】特許第４２８９３７４号公報
【発明の概要】
【発明が解決しようとする課題】
【０００４】
調理器は、使用者がその上に鍋、フライパンなどを載置して調理を行うものであり、非常に高温になるものであるため、高い安定性が求められる。
【０００５】
したがって、本発明の目的は、調理器を安定した状態で支持することができる調理器用支持装置、調理器セットおよび脚付き調理器を提供することにある。
【課題を解決するための手段】
【０００６】
上述した課題を解決するために、第１の発明は、箱型形状に構成された調理器の底面に接続され、調理器の筐体の前後方向に沿った第１支持部と、調理器の筐体の左右方向に沿った第２支持部とで平面視略Ｌ字状に構成されている調理器用支持装置であって、第１支持部は、調理器の底面に接続された状態で調理器の底面に設けられた吸気口と重なる位置に切り欠き部が設けられている調理器用支持装置である。
【０００７】
また、第２の発明は、調理器用支持装置と、調理器用支持装置が接続される調理器とを備える調理器セットである。
【０００８】
さらに、第３の発明は、調理器用支持装置が接続された脚付き調理器である。
【発明の効果】
【０００９】
本発明によれば、調理器を安定した状態で支持することができる。なお、ここに記載された効果は必ずしも限定されるものではなく、明細書中に記載されたいずれかの効果であってもよい。
【図面の簡単な説明】
【００１０】
【図１】図１は、調理器用支持装置により支持される電磁調理器の斜視図である。
【図２】図２は、電磁調理器の側面図である。
【図３】図３は、電磁調理器の底面図である。
【図４】図４は、調理器用支持装置の外観構成を示す斜視図である。
【図５】図５Ａは調理器用支持装置の平面図であり、図５Ｂは調理器用支持装置の底面図である。
【図６】図６は、調理器用支持装置の側面図である。
【図７】図７は、電磁調理器に調理器用支持装置を接続した状態を示す上面側斜視図である。
【図８】図８は、電磁調理器に調理器用支持装置を接続した状態の底面側斜視図である。
【図９】図９は、電磁調理器に調理器用支持装置を接続した状態の背面図である。
【図１０】図１０は、電磁調理器に調理器用支持装置を接続した状態の底面図である。
【図１１】図１１は、電磁調理器と調理器用支持装置の梱包状態の分解図である。
【図１２】図１２は、電磁調理器と調理器用支持装置の梱包状態の側面図である。
【図１３】図１３は、電磁調理器と調理器用支持装置の梱包状態を示す図である。
【図１４】図１４は、第２の実施の形態に係る調理器の側面図である。
【図１５】図１５は、第２の実施の形態に係る調理器の底面図である。
【図１６】図１６は、第２の実施の形態に係る支持装置の外観構成を示す斜視図である。
【図１７】図１７Ａは支持装置の平面図であり、図１７Ｂは支持装置の底面図である。
【図１８】図１８は、調理器に支持装置を接続した状態を示す下面側斜視図である。
【図１９】図１９は、調理器に支持装置を接続した状態の底面図である。
【図２０】図２０は、調理器に支持装置を接続した状態の背面図である。
【図２１】図２１は、第２の実施の形態に係る支持装置の第２の例の外観構成を示す斜視図である。
【図２２】図２２は、第２の実施の形態に係る支持装置の第２の例の平面図である。
【図２３】図２３は、第２の実施の形態に係る支持装置の第２の例の底面図である。
【図２４】図２４は、調理器に支持装置を接続した状態を示す下面側斜視図である。
【図２５】図２５は、調理器に支持装置を接続した状態の底面図である。
【図２６】図２６は、調理器に支持装置を接続した状態の背面図である。
【図２７】図２７Ａ、図２７Ｂおよび図２７Ｃは、第３の実施の形態に係る調理器と支持装置の接続状態の背面図である。
【図２８】図２８Ａ、図２８Ｂおよび図２８Ｃは、第３の実施の形態に係る支持装置の固定機構の第１の例を示す斜視図である。
【図２９】図２９Ａおよび図２９Ｂおよび図２９Ｃは、第３の実施の形態に係る支持装置の固定機構の第２の例を示す斜視図である。
【図３０】図３０Ａ、図３０Ｂおよび図３０Ｄは、第３の実施の形態に係る支持装置の固定機構の第２の例を示す部分拡大図である。
【図３１】図３１は、第２の実施の形態に係る支持装置の変形例を示す斜視図である。
【図３２】図３２は、第２の実施の形態に係る支持装置の変形例を調理器に接続した状態を示す斜視図である。
【図３３】図３３は、第２の実施の形態に係る支持装置の第２の変形例を示す斜視図である。
【発明を実施するための形態】
【００１１】
以下、本発明の実施の形態について図面を参照しながら説明する。ただし、本発明は以下の実施例のみに限定されるものではない。なお、説明は以下の順序で行う。
＜１．第１の実施の形態＞
［１−１.調理器の構成］
［１−２.調理器用支持装置の構成］
［１−３.電磁調理器と調理器用支持装置の梱包］
＜２．第２の実施の形態＞
［２−１.調理器の構成］
［２−２.支持装置の第１の構成例］
［２−３.支持装置の第２の構成例］
＜３．第３の実施の形態＞
［３−１.調理器の構成］
［３−２.支持装置の構成］
＜４．変形例＞
【００１２】
＜１．第１の実施の形態＞
［１−１.調理器の構成］
まず、調理器用支持装置により支持される調理器の一例である電磁調理器１について説明する。なお、以下の電磁調理器１および調理器用支持装置の説明においては、電磁調理器１の筐体の前後方向である奥行き方向を縦方向とし、縦方向に対して直交する幅方向を横方向とする。電磁調理器１は、例えば、１００Ｖの商用電源を利用する２個の加熱部に磁気シールドを有する電磁調理器である。
【００１３】
電磁調理器１は、薄い直方体の箱形状に構成されている。電磁調理器１は、例えば、６０ｍｍ程度の厚さを有する。電磁調理器１は、上側部１０及び下側部２０からなり、上側部１０が下側部２０を覆う形（上側部１０の側板が下側部２０の壁部の外側に位置する形）で箱形状をなしている。上側部１０は、略四角形状の平板部１１と、平板部１１の周縁から下方に延びている上側縁部１２を有する。平板部１１上に略四角形状の天板３０が載置され、接着などの方法により固定されている。
【００１４】
天板３０は、調理に供する鍋などの調理器具（図示せず。）を載置するための領域を有する。なお、天板３０は奥行方向（前後方向）において上側部１０の平板部１１よりも小さく構成されており、平板部１１の前方が天板３０に覆われないように構成されている。天板３０の表面には、２つの同心円の組が２組描かれている。同心円の組はそれぞれ左加熱領域３１、右加熱領域３２を示しており、それぞれその下方に加熱部が位置していることを表している。左加熱領域３１、右加熱領域３２の２つの同心円のうち半径が小さい方の円は、対応する加熱部の後述する誘導コイルが巻回されている円の外周を表しており、すなわち、誘導コイルに電流が流れることにより電磁誘導作用が働く領域を表している。２つの同心円のうち半径が大きい方の円は、対応する加熱部で加熱し得る調理器具の直径の目安を与えるものである。
【００１５】
本実施の形態における電磁調理器１の場合、左側の加熱部に加熱時に供給し得る最大電力が、右側の加熱部に加熱時に供給し得る最大電力より大きくなっている。これに対応するように、左加熱領域３１の同心円は右加熱領域３２の同心円よりも大きく構成されている。これは、使用者に最大加熱能力の違いを直観的に認識させようとしたものである。
【００１６】
下方に加熱部が位置していることを表している２つの同心円の中心に「ＩＨ」などの文字や記号を描画しておき、加熱部が電磁誘導作用を利用した加熱部であることを明示するようにしても良い。このようにした場合には、加熱部が、ラジエントヒーターやハロゲンヒーターによるという誤解を利用者に与えることを防止できる。
【００１７】
天板３０は、例えば１枚のガラス板によって構成されている。これにより、天板３０の上面を凹凸等がない平面とすることができる。また、鍋などの調理器具を載せたり下ろしたりする際に、天板３０を損傷させるようなことを未然に防止することができる。さらに、調理器具などから噴きこぼれた液体等を容易に拭き取ることができる。なお、天板３０の表面が平面でも、市販のタブレット端末と同様なガラス表面に対する加工により、後述する各種のキースイッチなどを設けることができる。
【００１８】
上側部１０の平板部１１における天板３０が載置されていない領域は前方に向けて傾斜するように構成されており、ボタン、表示部などを備える操作領域４０として構成されている。操作領域４０を前方に向けて傾斜させることにより、操作領域４０が使用者の方向を向くようになり、操作がし易くなる。
【００１９】
操作領域４０は左側の加熱部における各種操作に対応する左加熱部用操作領域４１と、右側の加熱部における各種操作に対応する右加熱部用操作領域４２とに分かれている。左加熱部用操作領域４１には、通常加熱のオンオフを指示する加熱ボタン、湯沸かし加熱のオンオフを指示する湯沸かしボタン、揚げ物加熱のオンオフを指示する揚げ物ボタンなどが設けられている。また、加熱の段階を上下させるためのボタン、タイマの計時時間を設定するためのボタンなども設けられている。また、左加熱部用操作領域４１には、各加熱モードのいずれが動作しているかを示す発光素子、加熱の段階を表示する発光素子、タイマの残り時間や揚げ物加熱時の温度等を表示する数字表示部などが設けられている。
【００２０】
右加熱部用操作領域４２には、通常加熱のオンオフを指示する加熱ボタン、湯沸かし加熱のオンオフを指示する湯沸かしボタン、揚げ物加熱のオンオフを指示する揚げ物ボタンなどが設けられている。また、加熱の段階を上下させるためのボタン、タイマの計時時間を設定するためのボタンなどが設けられている。各ボタンは例えば、触感のあるプッシュスイッチにより構成されている。ただし、プッシュスイッチに限定されるものではなく、タッチパネル方式のスイッチにより構成されてもよい。
【００２１】
また、右加熱部用操作領域４２には、各加熱モードのいずれが動作しているかを示す発光素子、加熱の段階を表示する発光素子、タイマの残り時間や揚げ物加熱時の温度等を表示する数字表示部などが設けられている。なお、本実施の形態においては、左加熱部の加熱時における最大電力が右加熱部よりも大きいため、右加熱部における加熱段階の数よりも左加熱部の段階数が多くなっている。また、操作領域４０には、その他、電源スイッチ、電源スイッチのオンオフ状態を表す発光素子なども設けられている。
【００２２】
下側部２０は、四角形状の底板２１と、底板２１周辺から上方に立設されている下側縁部２２とを有し、底板２１と下側縁部２２とは一体成形されている。上側部１０の上側縁部１２の内面と、下側部２０の下側縁部２２の外面とが接触し固定され、上側部１０及び下側部２０による筐体が完成されている。
【００２３】
下側部２０の底板２１には、２つの吸気口、第１吸気口５１、第２吸気口５２が設けられている。第１吸気口５１、第２吸気口５２はそれぞれ、中心開口と、その周囲に設けられている同心円状の複数の円環部材と、径方向に放射状に延びている直線部材とでなっている。第１吸気口５１は、筐体内部に設けられたファン（図示せず。）の回転により筐体内に空気を取り込むものであり、第２吸気口５２は、第１吸気口５１に対応するファンとは異なるファン（図示せず。）の回転により筐体内に空気を取り込むものである。
【００２４】
また、下側部２０の底板２１には排気口６０が設けられている。排気口６０は、複数のスリットを左右方向に並設することにより構成されており、底板２１の後端に設けられている。吸気口１１Ａ、１１Ｂから周囲の空気を筐体内に取り込み、筐体内部の空気を排気口６０から排出するようになされている。これにより、電磁調理器１の筐体内を強制空冷する空気流の流路が形成されている。
【００２５】
さらに、底板２１の左側には、左側支持体１００が備える第１組み立てガイドリブ１０２Ａ、第２組み立てガイドリブ１０３Ａを挿入するための第１ガイドリブ挿入穴８１Ａ、第２ガイドリブ挿入穴８２Ａが設けられている。また、底板２１の右側には右側支持体２００が備える第１組み立てガイドリブ、第２組み立てガイドリブを挿入するための第１ガイドリブ挿入穴８１Ｂ、第２ガイドリブ挿入穴８２Ｂも設けられている。第１組み立てガイドリブ１０２Ａ、第２組み立てガイドリブ１０３Ａの詳細について後述する。
【００２６】
下側部２０内の底板２１側には調理器用支持装置としての左側支持体１００、右側支持体２００と接続するためのインサートナットのネジ受け部が設けられている。ネジ受け部は、後述する第１ネジ穴１４１、第２ネジ穴１５２、第３ネジ穴１５３に対応した位置に設けられている。
【００２７】
底板の４隅のそれぞれには足部７０、７０、・・・が設けられている。足部７０は、電磁調理器１を安定した状態で支持するものである。足部７０は、例えばゴム、シリコンなどの弾性体で構成することにより、載置面に傷がつくことを防止するとともに、電磁調理器１が載置面上で滑ることも防止することができる。
【００２８】
電磁調理器１は、左右方向及び奥行方向の長さに比較して厚みが薄く（例えば、５６０ｍｍ×４５０ｍｍ×６０ｍｍ）、重心が載置面に近い器具となっており、安定した載置状態を実現することができる。また、天板３０として、厚さが４ｍｍ程度のガラスを適用すると共に、底板２１として、単なる樹脂ではなくガラス繊維を充填した充填材含有樹脂（例えば、ガラス入りナイロン；ＰＡ６＋ＧＦ１５％）を適用しているので、筐体の容積に比較して大きな重量を稼ぐことができ、安定した載置状態を実現することができる。
【００２９】
また、ガラス繊維を充填した充填材含有樹脂で底板２１を構成することにより、底板２１として十分な強度を得ることができると共に、機械的な共振を防止することができる。因みに、天板３０以外の上側部１０は、例えば、ポリカーボネートとＡＢＳのアロイ樹脂（ＰＣ＋ＡＢＳ）で構成され、強度と耐熱性を満足している。
【００３０】
上述したように、天板３０を除いた上側部１０、下側部２０の材質として合成樹脂を適用している。１００Ｖの商用電源を適用した場合、筐体内部で生じる不要な電磁波が従来より少なく、筐体外への電磁波放出を避けるシールドを考慮する必要がない。そのため、上側部１０の部分や下側部２０の材質として合成樹脂を適用することができる。
【００３１】
電磁調理器１の内部には、左加熱部、右加熱部の中心的な構成要素である２つの誘導コイルが上述した同心円組の半径が小さい円の下方である位置にそれぞれ設けられている。また、電磁調理器１内部には、誘導コイルを支持するベース板、磁気シールド部、インバータ回路、ヒートシンク、制御部（いずれも図示せず。）等が設けられている。各誘導コイルにおいてはそれぞれ、対応するインバータ回路からの高周波数（例えば数万Ｈｚ）の交流電流により、コイルの周辺に磁束が発生する。発生した磁束が金属製鍋を通過するときに鍋の内部に無数のうず電流が発生し、うず電流が流れるとき、調理器具の底の電気抵抗で熱が発生し、その熱によって加熱が行われる。
【００３２】
誘導コイルの外周近傍には、磁気シールド部を設けてある。磁気シールド部は、例えば、１本の帯状導電板をリング状にして両端部を半田などで接続した構成のものである。各インバータ回路はそれぞれ、１００Ｖの商用電源を整流して得た直流を電力制御のためのスイッチング用の半導体素子を複数適用し、所定周波数の交流に変換するものである。電力制御用の半導体素子としては、例えば、絶縁ゲートバイポーラトランジスタ（Insulated Gate Bipolar Transistor；ＩＧＢＴ）が使用される。ヒートシンクは、誘導コイル用のインバータ回路を構成する複数のＩＧＢＴが搭載されており、ＩＧＢＴの冷却用のものである。
【００３３】
制御部は、例えば、ＣＰＵ、ＲＯＭ、ＲＡＭ等を備えたマイクロコンピュータで構成され、電磁調理器１の各部と接続していて各種信号を授受できるようになされている。例えば、制御部は、電力分配器やインバータ回路と接続しているだけでなく、入力部や、各種のセンサ群や、上述したファン群などと接続している。なお、制御部は、図示を省略している電源スイッチのオンによる電源供給により動作するようになされている。制御部においては、ＣＰＵが、ＲＯＭに格納されているプログラムや固定データ、並びに、各部からの入力信号や現在の状態などに基づき、ＲＡＭをワーキングメモリとして利用しながら、操作部に対する入力内容に応じた各種の制御などを行う。電磁調理器１は以上のようにして構成されている。ただし、電磁調理器１は、卓上型のものであってもよいし、据置き型のものであってもよい。
【００３４】
［１−２.調理器用支持装置の構成］
次に電磁調理器１を支持する調理器用支持装置である左側支持体１００と右側支持体２００について説明する。左側支持体１００と右側支持体２００とは２つで一組の電磁調理器１用の調理器用支持装置として機能するものである。左側支持体１００と右側支持体２００は、例えば段差を設けたレンジ台収容部に載置され、電磁調理器１の天板３０とキッチンの調理台をほぼ面一にするための支持装置である。
【００３５】
左側支持体１００は、電磁調理器１を左側において下方から支持するものである。また、右側支持体２００は、電磁調理器１を右側において下方から支持するものである。左側支持体１００、右側支持体２００は電磁調理器１に着脱可能に装着されるものである。以下、左側支持体１００の構成について説明するが、右側支持体２００は左側支持体１００と左右対称の形状に構成されている。
【００３６】
左側支持体１００は、底面部１０１と、底面部１０１から略垂直方向に起立する外側面部１０２、内側面部１０３、前面部１０４、テーパー部１０５、外背面部１０６、内背面部１０７、端面部１０８とから、上面が開口し、かつ、内部が中空のものとして構成されている。また、左側支持体１００は、電磁調理器１の前後方向に沿って延びる縦支持部１１０と、電磁調理器１の横方向に沿った横支持部１２０、縦支持部１１０と横支持部１２０間の屈曲部１３０を備えるように構成されている。左側支持体１００は、縦支持部１１０、横支持部１２０および屈曲部１３０とから平面視略Ｌ字状に構成されている。
【００３７】
左側支持体１００は、縦支持部１１０と横支持部１２０とから略Ｌ字状に構成されることにより、直線上の形状に比べて安定した状態で電磁調理器１を支持できる。また、Ｌ字状に構成することにより、左側支持体１００自体の強度も高めることができる。
【００３８】
縦支持部１１０の前端は、外側から内側にむけて斜めに形成されたテーパー部１０５として構成されている。縦支持部１１０の前端をテーパー状に構成することにより、前端が直角の面として構成されている場合より、前方から電磁調理器１の下方への空気の流れをスムーズにすることができる。
【００３９】
縦支持部１１０の前端内側の角には略水平方向に張り出すように前方鍔部１４０が設けられている。前方鍔部１４０には左側支持体１００と電磁調理器１とをネジ止めにより固定するための第１ネジ穴１４１が形成されている。テーパー部１０５により凹んだ位置に前方鍔部１４０を設けることにより、内側面部１０３と前面部１０４の延長線上からはみ出ることがなく前方鍔部１４０を設けることができる。これにより、縦支持部１１０の前方にネジ穴を設けるために大きく突出した箇所を設ける必要がない。
【００４０】
また、左側支持体１００の後端には後方の略水平方向に張り出すように後方鍔部１５０が設けられている。後方鍔部１５０には左側支持体１００と電磁調理器１とをネジ止めにより固定するための第２ネジ穴１５２、第３ネジ穴１５３が形成されている。第２ネジ穴１５２は、Ｌ字状に構成された左側支持体１００の屈曲部１３０の近傍に位置するように設けられている。また、第３ネジ穴１５３は、横支持部１２０の端部の近傍に位置するように設けられている。
【００４１】
左側支持体１００の３つの端である縦支持部１１０の前端、横支持部１２０の端部近傍、屈曲部１３０の近傍にそれぞれ第１ネジ穴１４１、第２ネジ穴１５２、第３ネジ穴１５３を設けることにより、安定した状態で左側支持体１００を電磁調理器１に固定することができる。また、安定した状態で電磁調理器１を支持することにより、電磁調理器１内における誘導コイルなどの振動による共振音の低減も図ることができる。なお、電磁調理器１と左側支持体１００、右側支持体２００との接続に用いるものはネジに限られず、例えば、インサートナット、係合する爪状のアタッチメントなどでもよい。
【００４２】
外側面部１０２の上端には上方に向かって突出する突起状の第１組み立てガイドリブ１０２Ａが設けられている。また、内側面部１０３の上端には上方に向かって突出する突起状の第２組み立てガイドリブ１０３Ａが設けられている。第１組み立てガイドリブ１０２Ａは外形がひけないように肉薄に構成されている。第１組み立てガイドリブ１０２Ａ、第２組み立てガイドリブ１０３Ａは、左側支持体１００を電磁調理器１に接続する際に電磁調理器１の底板２１に設けられた第１ガイドリブ挿入穴８１Ａ、第２ガイドリブ挿入穴８２Ａにそれぞれ挿入するものである。これにより、左側支持体１００と電磁調理器１の位置合わせを容易に行うことができる。
【００４３】
なお、第１組み立てガイドリブ１０２Ａは第２組み立てガイドリブ１０３Ａに比べて高く形成されている。これは、第１組み立てガイドリブ１０２Ａを先に第１ガイドリブ挿入穴８１Ａに入れ、次に第２組み立てガイドリブ１０３Ａを第２ガイドリブ挿入穴８２Ａに入れるようにするためである。よって、左側支持体１００を電磁調理器１に接続する場合は、まず、第１組み立てガイドリブ１０２Ａを第１ガイドリブ挿入穴８１Ａに挿入し、第２組み立てガイドリブ１０３Ａを第２ガイドリブ挿入穴８２Ａに挿入してから、第１ネジ穴１４１、第２ネジ穴１５２、第３ネジ穴１５３で用いてネジ止めする。右側支持体２００も同様にして接続される。
【００４４】
左側支持体１００の底面部１０１には、２つの足部１６０が設けられている。足部１６０は、左側支持体１００と載置面との間に介在することにより左側支持体１００を安定した状態で支持するものである。足部１６０は、例えばゴム、シリコンなどの弾性体により構成されていることにより、載置面に傷がつくことを防止するとともに、左側支持体１００が載置面上で滑ることも防止する。
【００４５】
足部１６０は、左側支持体１００を安定した状態で支持するために、ある程度の距離を開けて底面部１０１に設けるとよい。実施の形態においては、縦支持部１１０の前方および屈曲部１３０の近傍に設けられている。なお、足部１６０の数は２つに限られるものではなく、２つ以上の数であればいくつ設けてもよい。また、足部１６０を構成する素材としては、ゴム以外であっても、左側支持体１００を安定した状態で支持し、かつ、載置面に傷をつけない弾性を有する素材であればどのようなものであってもよい。左側支持体１００は上方が開口し、内部が中空に構成されている。これにより、左側支持体１００の軽量化、材料費の削減を図ることができる。
【００４６】
左側支持体１００の底面には、複数の孔部１７０が設けられている。孔部１７０は、開口している上方から左側支持体１００内部に入り込んだ水などの液体を排出するための水抜き孔として機能する。また、孔部１７０は、左側支持体１００の内部の通気孔としても機能する。これにより、電磁調理器１により熱せられた空気が左側支持体１００内に滞留することを防止することができる。なお、上述のように左側支持体１００の底面には足部１６０が設けられているため、載置面によって孔部１７０が塞がれてしまうことはない。
【００４７】
左側支持体１００の内側面部１０３の上端には下方に向けて凹んだ切り欠き部１８０が設けられている。切り欠き部１８０は、電磁調理器１の底面に設けられた吸気口５１と左側支持体１００が重なる位置に設けられている。その吸気口５１と左側支持体１００とが重なる位置に切り欠き部１８０を設けることにより、左側支持体１００が吸気口５１を塞いで吸気を遮ることを防止することができる。切り欠き部１８０の寸法は、吸気口５１の大きさに応じて適宜設定するとよい。
【００４８】
左側支持体１００の外背面部１０６にはフック状のコードかけ１９０が設けられている。コードかけ１９０は一体成型により左側支持体１００に設けられている。コードかけ１９０は電磁調理器１の電源用コード（図示せず。）を引き出した状態で維持するためにひっかけるためのものである。なお、右側支持体２００にも同様の構成のコードかけが設けられているため、電磁調理器１の電源用コードは左右どちらの方向に引き出してもよい。
【００４９】
以上のようにして左側支持体１００が構成されている。右側支持体２００は左側支持体１００と左右対称に構成されている。なお、左側支持体１００、右側支持体２００の両方が電磁調理器１の底面に設けられた吸気口に重なる場合には、左側支持体１００、右側支持体２００のどちらにも切り欠き部１８０を設ける必要がある。
【００５０】
一方、左側支持体１００、右側支持体２００のいずれか一方のみが電磁調理器１の底面に設けられた吸気口に重なる場合、重ならない方の支持体には切り欠き部１８０は不要である。左側支持体１００、右側支持体２００の両方が電磁調理器１の底面に設けられた吸気口に重ならない場合には、左側支持体１００、右側支持体２００のどちらにも切り欠き部１８０は不要である。
【００５１】
図７乃至図１０は、左側支持体１００、右側支持体２００を電磁調理器１に接続した状態を示す図である。上述したように、左側支持体１００、右側支持体２００は上面が開口し、内部が中空のものとして構成されているため、電磁調理器１に左側支持体１００、右側支持体２００を接続した際、電磁調理器１の左側の足部７０は左側支持体１００内に収納されることになる。また、電磁調理器１の右側の足部７０は右側支持体２００内に収納されることになる。よって、電磁調理器１に左側支持体１００、右側支持体２００を接続する際に足部７０が邪魔になることがない。
【００５２】
左側支持体１００と右側支持体２００はそれぞれ電磁調理器１の左端と右端において電磁調理器１を支持するものである。よって、電磁調理器１に左側支持体１００と右側支持体２００を接続した状態にあっては電磁調理器１の下に前方に向けて開口する空間が形成される。
【００５３】
また、横支持部１２０は電磁調理器１の幅方向の寸法の半分よりも短く構成されている。これにより、左側支持体１００の横支持部１２０と右側支持体２００の横支持部１２０との間にある程度の広さを有する空隙が形成される。これにより、電磁調理器１の下には、左側支持体１００と右側支持体２００の間において、電磁調理器１の前方から後方に向けて開口する空間が形成される。左側支持体１００の横支持部１２０と右側支持体２００の横支持部１２０との間に空間が形成されることにより、前方から後方に向けて空気が吹き抜けることが可能であるため、空気の流れを妨げず冷却効率を低下させることがない。また、電磁調理器１の下の空間は鍋、フライパンなどの調理器具を収納するという使い方も可能である
【００５４】
図８および図１０に示すように電磁調理器１においては、左側支持体１００が電磁調理器１の底面の左側に設けられた吸気口５１の一部に重なっている。よって、左側支持体１００には吸気口５１に重なる位置に切り欠き部１８０が設けられている。これにより、吸気口における空気の流れを左側支持体１００が遮ってしまうことがない。なお、図８および図１０に示される電磁調理器１においては、右側支持体２００は電磁調理器１の底面の左側に設けられた第２吸気口５２に重なっていない。したがって、右側支持体２００には切り欠き部１８０を設ける必要がない。
【００５５】
以上のようにして左側支持体１００、右側支持体２００が構成され、その左側支持体１００、右側支持体２００により電磁調理器１が支持される。なお、電磁調理器１は、卓上型、据置き型、どちらの型であっても支持体を用いて支持することができる。
【００５６】
［１−３.電磁調理器と調理器用支持装置の梱包］
次に電磁調理器１、左側支持体１００および右側支持体２００の梱包方法について説明する。ここで説明する梱包例は、電磁調理器１、左側支持体１００および右側支持体２００を一つのセットとして提供、販売するような場合に、それらを一つの箱に収めるためのものである。図１１は、梱包状態を説明するための梱包状態の分解図であり、図１２は梱包状態の側面図である。図１３は、梱包用箱内部における梱包状態および梱包用の箱を示す図である。梱包状態においては、電磁調理器１の両側面を保護するように第１側面用緩衝材３１０および第２側面用緩衝材３２０が電磁調理器１の左右にそれぞれ配置されている。第１側面用緩衝材３１０および第２側面用緩衝材３２０としては例えば発泡スチロールを用いることができる。また、第１側面用緩衝材３１０および第２側面用緩衝材３２０は、折り曲げ加工されたダンボール、気泡緩衝材などを用いてもよい。
【００５７】
また、天板３０を保護するための天板保護材３３０が天板３０を覆うように設けられている。天板保護材３３０としては例えばダンボール、板状の発泡スチロールなどを用いることができる。なお、天板保護材３３０は、位置のズレ等を防ぐために粘着テープで数箇所をとめることにより位置を固定するとよい。
【００５８】
そして、図１２に示すように左側支持体１００の縦支持部１１０が天板保護材３３０上に載り、左側支持体１００の横支持部１２０が電磁調理器１の背面に沿うように左側支持体１００を天板保護材３３０上に載置する。同様に、右側支持体２００も縦支持部１１０が天板保護材３３０上に載り、横支持部１２０が電磁調理器１の背面に沿うように天板保護材３３０上に載置する。このように略Ｌ字状である左側支持体１００と右側支持体２００の屈曲部１３０を利用して収納することにより、収納状態を小さくすることができる。これにより、梱包用箱の小型化、梱包した箱の設置スペースの節約などを図ることができる。
【００５９】
左側支持体１００と右側支持体２００の間には支持体用緩衝材３４０が配置されている。支持体用緩衝材３４０を設けることにより、左側支持体１００と右側支持体２００とが接触して傷がつくことを防止することができる。また、左側支持体１００と右側支持体２００の位置を固定して左側支持体１００と右側支持体２００とが箱４００内部で振動することを防止することもできる。支持体用緩衝材３４０としては例えば発泡スチロールを用いることができる。また、支持体用緩衝材３４０として折り曲げ加工されたダンボール、気泡緩衝材などを用いてもよい。
【００６０】
そして、図１３に示すように一体となった電磁調理器１、左側支持体１００および右側支持体２００を第１の箱４００に収納する。さらに、２つの電磁調理器と支持体のセットを一つの箱に収納する場合には、２つの第１の箱４００、４００を内箱としてそれぞれに電磁調理器１と支持体のセットを収納し、それらを外箱としての第２の箱５００に収納する。第１の箱４００、第２の箱５００は例えばダンボールにより構成される。このようにして電磁調理器１、左側支持体１００および右側支持体２００の梱包が行われる。
【００６１】
なお、第１側面用緩衝材３１０および第２側面用緩衝材３２０のサイズは、第１側面用緩衝材３１０および第２側面用緩衝材３２０の電磁調理器１と接する面以外の全面が第１の箱４００の内面に接するサイズにするとよい。これにより、第１の箱４００内部で電磁調理器１、左側支持体１００および右側支持体２００が振動することを防止できる。
【００６２】
この梱包の説明においては、電磁調理器１、左側支持体１００および右側支持体２００がセットで提供、販売されるものとして説明を行った。しかし、左側支持体１００および右側支持体２００からなる支持体セットと、電磁調理器１とは分けて提供、販売するようにしてもよい。その場合、左側支持体１００および右側支持体２００からなる支持体セットを高さが異なる複数種類用意して提供、販売するようにしてもよい。それにより、使用者が電磁調理器１の使用環境、使用者の身長などに合わせて適切な高さの支持体セットを選ぶことができる。
【００６３】
＜２．第２の実施の形態＞
［２−１.調理器の構成］
次に本発明の第２の実施の形態について説明する。第２の実施の形態に係る電磁調理器１０００の筐体１０１０は、第１の実施の形態と同様に薄い箱形状に構成されている。筐体１０１０は、上側部１０及び下側部２０からなり、上側部１０が下側部２０を覆う形（上側部１０の側板が下側部２０の壁部の外側に位置する形）で箱形状をなしている。上側部１０上に略四角形状の天板３０が載置され、接着などの方法により固定されている。以上の構成および、操作領域４０を備える点、足部７０を備える点、操作領域４０における各種ボタンへの入力に応じて加熱部で加熱調理が可能な点、上面視における構成などの基本的構成は図１に示した第１の実施の形態と同様である。なお、筐体１０１０は、単一の部材により箱形状に構成されてもよい。
【００６４】
第２の実施の形態においては、図１４および図１５に示すように、電磁調理器１０００の筐体１０１０の底面には下方に向けて張り出した張り出し部１０１１が形成されている。張り出し部１０１１の奥行方向（電磁調理器１０００の奥行方向と同方向）の寸法は、筐体１０１０の底面の奥行方向の寸法の略半分程度に構成され、筐体１０１０の底面に張り出し部１０１１がない領域がある程度確保されるように構成されている。また、横方向の寸法は、筐体１０１０の幅方向の寸法よりわずかに短く構成されている。
【００６５】
張り出し部１０１１は筐体１０１０の内部空間を広くするためのものであり、張り出し部１０１１の内部は中空に形成されている。筐体１０１０の内部には、誘導コイルを支持するベース板、磁気シールド部、インバータ回路、ヒートシンク、制御部（いずれも図示せず。）等が設けられている。
【００６６】
図１５に示すように、張り出し部１０１１の横幅は電磁調理器１０００の筐体１０１０の横幅に比べてわずかに短く構成されている。これにより、張り出し部１０１１の左右の端が筐体１０１０の端より内側に位置することになり、筐体１０１０の底面の両端には平坦部１０１２、１０１２が形成される。平坦部１０１２により、筐体１０１０の底面の幅方向両端は前端から後端まで略フラットな状態となる。この平坦部１０１２を含めた筐体１０１０の底面の幅方向両端は前端から後端までは、支持装置６００を電磁調理器１０００に取付ける際に第１支持体６００Ａと第２支持体６００Ｂの上端が接触する位置となる。この点についての詳細な説明は後述する。
【００６７】
張り出し部１０１１の奥行方向の寸法は、筐体１０１０の底面の奥行方向の寸法よりも短く構成され、筐体１０１０の底面に張り出し部１０１１がない領域が確保されるように構成されている。その筐体１０１０の底面の張り出し部１０１１がない領域に第１吸気口５１および第２吸気口５２が設けられている。このように構成することにより、第１吸気口５１および第２吸気口５２が張り出し部１０１１の底面より高い位置に位置することになる。これにより、電磁調理器１０００を設ける台所などの載置面と第１吸気口５１、第２吸気口５２との間の距離を大きくして、第１吸気口５１、第２吸気口５２下の空間を広くすることができ、吸気効率を高めることができる。
【００６８】
［２−２.支持装置の第１の構成例］
次に図１６乃至図２０を参照して、第２の実施の形態に係る電磁調理器１０００を支持する支持装置６００について説明する。なお、図１８乃至図２０は支持装置６００を電磁調理器１０００に接続した状態を示す図である。
【００６９】
支持装置６００は、第１支持体６００Ａと第２支持体６００Ｂとから構成されている。電磁調理器１０００と、電磁調理器１０００に接続される支持装置６００とで本発明に係る脚付き調理器が構成される。第１支持体６００Ａと第２支持体６００Ｂとは２つで一組として、電磁調理器１０００用の支持装置として機能するものである。第１支持体６００Ａと第２支持体６００Ｂは、例えば、台所において段差を設けたレンジ台収容部に載置され、電磁調理器１０００の天板３０とキッチンの調理台をほぼ面一にするための支持装置である。
【００７０】
図１８に示すように、第１支持体６００Ａは、電磁調理器１０００を正面視左側において下方から支持するものである。また、第２支持体６００Ｂは、電磁調理器１０００を正面視右側において下方から支持するものである。第１支持体６００Ａ、第２支持体６００Ｂは電磁調理器１０００に着脱可能に接続されるものである。以下、第１支持体６００Ａの構成について説明するが、第２支持体６００Ｂは切り欠き部６７０を除いて第１支持体６００Ａと左右対称の略同形状に構成されているため、同一の符号を用いてその説明を省略する。説明の便宜上、図１６および図１７には第１支持体６００Ａのみを示す。
【００７１】
第１支持体６００Ａは、底面部６０１と、底面部６０１から略垂直方向に起立する外側面部６０２、内側面部６０３、前面部６０４、テーパー部６０５、背面部６０６とから平面視略Ｉ字状であり、上面が開口し、かつ、内部が中空のものとして構成されている。
【００７２】
第１支持体６００Ａの前方は、外側から内側にむけて斜めに形成されたテーパー部６０５として構成されている。第１支持体６００Ａの前方をテーパー状に構成することにより、直角の面として構成されている場合より、前方から電磁調理器１０００の下方への空気の流れをスムーズにし、第１吸気口５１、第２吸気口５２からの吸気効率を高めることができる。
【００７３】
第１支持体６００Ａの前端内側の角には略水平方向に張り出すように第１鍔部６２０が設けられている。第１鍔部６２０には第１支持体６００Ａと電磁調理器１０００とをネジ止めにより固定するための第１ネジ穴６２１が形成されている。テーパー部６０５により窪んだ位置に第１鍔部６２０を設けることにより、内側面部６０３と前面部６０４の延長線上からはみ出ることがなく第１鍔部６２０を設けることができる。これにより、第１支持体６００Ａの前方にネジ穴を設けるために大きく突出した箇所を設ける必要がない。
【００７４】
また、第１支持体６００Ａの後方の内側面部６０３側には略水平方向に張り出すように第２鍔部６３０が設けられている。第２鍔部６３０には第１支持体６００Ａと電磁調理器１０００とをネジ止めにより固定するための第２ネジ穴６３２、第３ネジ穴６３３が形成されている。複数の位置でネジ止めすることにより、安定した状態で電磁調理器１０００を支持することができる。安定した状態で電磁調理器１０００を支持することにより、電磁調理器１０００内における誘導コイルなどの振動による共振音の低減も図ることができる。
【００７５】
また、第１支持体６００Ａの上部に第１鍔部６２０と第２鍔部６３０を設けることにより、電磁調理器１０００に第１支持体６００Ａを接続した際に電磁調理器１０００の底面と第１鍔部６２０および第２鍔部６３０とが接触する。これにより、電磁調理器１０００と第１支持体６００Ａとの接触面積が増えて安定性を向上させることができる。さらに、電磁調理器１０００と第１支持体６００Ａを接続させる作業も安定した状態で容易に行うことができる。第１鍔部６２０と第２鍔部６３０は特許請求の範囲における鍔部に相当するものである。
【００７６】
なお、第１鍔部６２０と第２鍔部６３０を設ける位置は、第１支持体６００Ａの前端と後方の内側面部６０３側に限られない。また、鍔部の数は２つに限られず、２つ以上でも２つ以下でもよい。なお、電磁調理器１０００と支持装置６００との接続に用いるものはネジに限られず、例えば、インサートナット、係合する爪状のアタッチメントなどでもよい。
【００７７】
外側面部６０２には上方に向かって突出する突起状の第１組み立てガイドリブ６４１が設けられている。また、内側面部６０３には上方に向かって突出する突起状の第２組み立てガイドリブ６４２が設けられている。第１組み立てガイドリブ６４１、第２組み立てガイドリブ６４２は、第１実施の形態における組み立てガイドリブと同様のものである。
【００７８】
電磁調理器１０００と第１支持体６００Ａとを接続する際に、第１組み立てガイドリブ６４１、第２組み立てガイドリブ６４２とを電磁調理器１０００の底面に設けられた第１ガイドリブ挿入穴８１Ａ、第２ガイドリブ挿入穴８２Ａに挿入させてからネジ固定などを行うことにより、位置合わせを容易に行うことができるため、第１支持体６００Ａと電磁調理器１０００の接続が容易となる。第１組み立てガイドリブ６４１、第２組み立てガイドリブ６４２は特許請求の範囲における突部に相当するものである。また、電磁調理器１０００の底面に設けられた第１ガイドリブ挿入穴８１Ａ、８１Ｂ、第２ガイドリブ挿入穴８２Ａ、８２Ｂは特許請求の範囲における穴部に相当するものであり、第１の実施の形態におけるものと同様のものである。
【００７９】
図１６に示すように、内側面部６０３には内部方向に向けて凹んだ段差部６１１が形成されている。段差部６１１が形成されていることにより、内側面部６０３には内側に窪んだ凹みが形成されることになる。また、図１８の第２支持体６００Ｂに示すように、外側面部６０２にも内側面部６０３と同様に内部方向に向けて凹んだ段差部６１１が形成されている。なお、この外側面部６０２、内側面部６０３に設けられた段差部６１１の構成は第１支持体６００Ａ、第２支持体６００Ｂのどちらにも設けられている。この形状により、凹凸のない平面状に形成されるものよりも第１支持体６００Ａ、第２支持体６００Ｂの強度を高めることができる。
【００８０】
なお、図１６、図１８などに示される実施例では段差部６１１は第１支持体６００Ａの内部方向へ凹むように形成されているが、外側へ突出するように段差部６１１を設けても同様の効果を奏することができる。
【００８１】
第１支持体６００Ａの底面部６０１には、２つの足部６５０が設けられている。足部６５０は、上述した第１実施の形態における足部１６０と同様のものであり、第１支持体６００Ａと載置面との間に介在することにより第１支持体６００Ａを安定した状態で支持する。
【００８２】
第１支持体６００Ａの底面には、複数の孔部６６０が設けられている。孔部６６０は、上述した第１実施の形態における孔部１７０と同様のものであり、開口している上方から第１支持体６００Ａ内部に入り込んだ水などの液体を排出するための水抜き孔および第１支持体６００Ａの内部の通気孔として機能する。孔部６６０は特許請求の範囲における孔部に相当するものである。
【００８３】
図１６に示すように、第１支持体６００Ａの内側面部６０３の上端には下方に向けて凹んだ切り欠き部６７０が設けられている。切り欠き部６７０は、電磁調理器１０００の底面に設けられた第１吸気口５１と第１支持体６００Ａが重なる位置に設けられている。第１吸気口５１と第１支持体６００Ａとが重なる位置に切り欠き部６７０を設けることにより、第１支持体６００Ａが第１吸気口５１を塞いで吸気を遮ることを防止することができる。切り欠き部６７０の寸法は、第１吸気口５１の大きさに応じて適宜設定するとよい。切り欠き部６７０は特許請求の範囲における切り欠き部に相当するものである。
【００８４】
なお、本実施の形態においては、図１９に示すように接続状態において第２支持体６００Ｂは電磁調理器１０００の底面の右側に設けられた第２吸気口５２に重なっていない。したがって、第２支持体６００Ｂには切り欠き部６７０を設ける必要がない。ただし、第２支持体６００Ｂが第２吸気口５２に重なっている場合には、第２支持体６００Ｂにも切り欠き部を設けるとよい。なお、第１支持体６００Ａ、第２支持体６００Ｂの両方が電磁調理器１０００の底面に設けられた吸気口に重なる場合には、第１支持体６００Ａ、第２支持体６００Ｂのどちらにも切り欠き部を設ける必要がある。一方、第１支持体６００Ａ、第２支持体６００Ｂの両方が電磁調理器１０００の底面に設けられた吸気口に重ならない場合には、第１支持体６００Ａ、第２支持体６００Ｂのどちらにも切り欠き部は不要である。
【００８５】
図１７Ｂ、図２０に示すように、第１支持体６００Ａの背面部６０６にはフック状のコードかけ６８０が設けられている。コードかけ６８０は、電磁調理器１０００の電源用コード（図示せず。）を引き出した状態で維持するためにひっかけるものである。コードかけ６８０は一体成型により第１支持体６００Ａに設けられてもよいし、別部材として構成されて第１支持体６００Ａに固定するように設けられてもよいし、取り外し可能に設けられてもよい。さらに、駆動機構を備え、第１支持体６００Ａ内部に収納できるようにしてもよい。なお、第２支持体６００Ｂにも同様の構成のコードかけ６８０を設けることにより、電磁調理器１０００の電源用コードを左右どちらの方向にも引き出すことが可能となる。
【００８６】
以上のようにして第１支持体６００Ａが構成されている。
【００８７】
図１８乃至図２０は、第１支持体６００Ａ、第２支持体６００Ｂを電磁調理器１０００に接続した状態を示す図である。上述したように、第１支持体６００Ａ、第２支持体６００Ｂは上面が開口し、内部が中空のものとして構成されているため、電磁調理器１０００に第１支持体６００Ａを接続すると、電磁調理器１０００の左側の足部７０は第１支持体６００Ａ内に収納される。また、電磁調理器１０００の右側の足部７０は第２支持体６００Ｂ内に収納される。よって、電磁調理器１０００に第１支持体６００Ａ、第２支持体６００Ｂを接続する際に足部７０が邪魔になることがない。
【００８８】
第１支持体６００Ａおよび第２支持体６００Ｂは平面視略Ｉ字状に構成されており、第１支持体６００Ａと第２支持体６００Ｂはそれぞれ電磁調理器１０００の左端と右端において電磁調理器１０００を支持するものである。よって、電磁調理器１０００に第１支持体６００Ａと第２支持体６００Ｂを接続した状態においては電磁調理器１０００の下に前方に向けて開口する空間が形成される。
【００８９】
これにより、電磁調理器１０００の下を空気が吹き抜けることが可能となる。空気が流れ易くなるので、空気の流れを妨げず冷却効率を低下させることがない。また、電磁調理器１０００の下の空間は鍋、フライパンなどの調理器具を収納するという使い方も可能である。
【００９０】
図１５、図１９に示すように、電磁調理器１０００の底面の前方側に第１吸気口５１、第２吸気口５２が位置しており、後方側に排気口６０が位置している。このように第１吸気口５１、第２吸気口５２と排気口６０は電磁調理器１０００の筐体１０１０の前後方向に沿って配置されており、電磁調理器１０００の下も第１支持体６００Ａおよび第２支持体６００Ｂの間が前後方向に開口している。これにより、吸気から排気への空気の流動方向と、電磁調理器１０００下の空気の流動方向が同方向になり、吸気から排気への流動効率が高まるので、空気の流動による冷却効率をより高めることができる。
【００９１】
さらに、電磁調理器１０００の張り出し部１０１１の後方に排気口６０が設けられているため、下方へ張り出した張り出し部１０１１の存在により、排気口６０から排出された空気が第１吸気口５１、第２吸気口５２側へ流れにくくなっている。これにより、排気口６０から排出された暖かい空気が張り出し部１０１１を乗り越えて第１吸気口５１、第２吸気口５２側へ流れることを抑制することができ、空気による冷却効率を高めることができる。
【００９２】
図１５を参照して上述したように、電磁調理器１０００の底面の両端には平坦部１０１２が形成されている。これにより、電磁調理器１０００の底面の幅方向両端は前端から後端まで略フラットな状態となっている。この平坦部１０１２を含めた電磁調理器１０００の底面の両端は、図１９に示すように、第１支持体６００Ａを電磁調理器１０００に接続する際に第１支持体６００Ａの上端部が接触する位置となる。
【００９３】
張り出し部１０１１があることにより、筐体１０１０の底面には凹凸が形成されているが、平坦部１０１２を設けることにより第１支持体６００Ａの上端部が接触する位置は略フラットになっている。これにより、電磁調理器１０００の筐体１０１０の底面に接触する第１支持体６００Ａの上端部に凹凸を設ける必要がなく略フラットに形成することができるため、第１支持体６００Ａの成型が容易となる。これは第２支持体６００Ｂも同様である。
【００９４】
以上のようにして第１支持体６００Ａ、第２支持体６００Ｂが構成され、その第１支持体６００Ａ、第２支持体６００Ｂからなる支持装置６００により電磁調理器１０００が支持される。なお、電磁調理器１０００は、卓上型、据置き型、どちらの型であっても支持装置６００を用いて支持することができる。
【００９５】
［２−３.支持装置の第２の構成例］
次に図２１乃至図２６を参照して、電磁調理器１０００を支持する支持装置の第２の構成例について説明する。第２の例に係る支持装置７００は、電磁調理器１０００の奥行方向（前後方向）に沿う一対の第１支持部７００Ａ、第２支持部７００Ｂと、電磁調理器１０００の幅方向に沿う第３支持部７００Ｃとから平面視略コ字状に構成されている。電磁調理器１０００と、電磁調理器１０００に接続される支持装置７００とで本発明に係る脚付き調理器が構成される。なお、第１支持部７００Ａと第２支持部７００Ｂとは切り欠き部７７０を除いて左右対称の略同形状であるため、その構成については同一の符号を用いてその説明を省略する。
【００９６】
支持装置７００は、略コ字状の底面部７０１と、底面部７０１から略垂直方向に起立する外側面部７０２、７０２、内側面部７０３、７０３、前面部７０４、７０４、テーパー部７０５、７０５、外背面部７０６、内背面部７０７とから、平面視略コ字状で、上面が開口し、かつ、内部が中空のものとして構成されている。上方を開口し、内部が中空に構成することにより、支持装置７００の軽量化、材料費の削減を図ることができる。
【００９７】
支持装置７００は、略コ字状に構成されることにより、安定した状態で電磁調理器１０００を支持できる。また、略コ字状に構成することにより、支持装置７００自体の強度も高めることができる。
【００９８】
支持装置７００の前端は、外側から内側にむけて斜めに形成されたテーパー部７０５として構成されている。テーパー状に構成することにより、前端が直角の面として構成されている場合より、前方から電磁調理器１０００の下方への空気の流れをスムーズにすることができる。
【００９９】
第１支持部７００Ａ、第２支持部７００Ｂの前端内側の角にはそれぞれ略水平方向に張り出すように第１鍔部７２０、７２０が設けられている。第１鍔部７２０には第１ネジ穴７２１が形成されている。また、支持装置７００の後端には後方の略水平方向に張り出すように一対の第２鍔部７３０、７３０が設けられている。第２鍔部７３０には第２ネジ穴７３２、第３ネジ穴７３３が形成されている。第１鍔部７２０、第２鍔部７３０、第１ネジ穴７２１、第２ネジ穴７３２、第３ネジ穴７３３は上述した第２の実施の形態の第１の構成例におけるものと同様である。
【０１００】
外側面部７０２の上端にはそれぞれ、上方に向かって突出する突起状の第１組み立てガイドリブ７４１が設けられている。また、内側面部７０３の上端にはそれぞれ、上方に向かって突出する突起状の第２組み立てガイドリブ７４２が設けられている。第１組み立てガイドリブ７４１、第２組み立てガイドリブ７４２は第２の実施の形態の第１の構成例における第１組み立てガイドリブ６４１、第２組み立てガイドリブ６４２と同様のものである。
【０１０１】
図２１に示すように、内側面部７０３には、内部方向に向けて凹んだ段差部７１１が形成されている。段差部７１１は、第２の実施の形態の第１の構成例における段差部６１１と同様のものである。
【０１０２】
底面部７０１には、４つの足部７５０が設けられている。足部７５０は、第１の実施の形態における足部１６０と同様のものであり、支持装置７００と載置面との間に介在することにより支持装置７００を安定した状態で支持するものである。
【０１０３】
支持装置７００の底面には複数の孔部７６０が設けられている。孔部７６０は、上述した第１の実施の形態における孔部１７０と同様のものであり、開口している上方から第１支持部７００Ａ内部に入り込んだ水などの液体を排出するための水抜き孔および通気孔として機能する。
【０１０４】
第１支持部７００Ａの一方の内側面部７０３の上端には下方に向けて凹んだ切り欠き部７７０が設けられている。切り欠き部７７０は上述した第１の実施の形態における切り欠き部１８０と同様のものである。
【０１０５】
図２６に示すように、外背面部７０６にはフック状のコードかけ７８０が設けられている。コードかけ７８０の構成は、上述した第２の実施の形態の第１の構成例におけるコードかけ６８０と同様のものである。なお、コードかけ７８０を外背面部７０６の左右両側に設けることにより、電磁調理器１０００の電源用コードを左右どちらの方向にも引き出すことができる。
【０１０６】
以上のようにして支持装置７００が構成されている。
【０１０７】
図２４乃至図２６は、支持装置７００を電磁調理器１０００に接続した状態を示す図である。上述したように、支持装置７００は上面が開口し、内部が中空のものとして構成されているため、電磁調理器１０００に支持装置７００を接続した際、電磁調理器１０００の左側の足部７０、右側の足部７０は共に支持装置７００内に収納されることになる。よって、電磁調理器１０００に支持装置７００を接続する際に足部７０が邪魔になることがない。
【０１０８】
支持装置７００は平面視略コ字状に構成されているため、電磁調理器１０００の下に前方に向けて開口する空間が形成される。これにより、電磁調理器１０００の下に空気が流入することができるため、第１吸気口５１、第２吸気口５２における吸気効率が高まり、吸気による冷却効率を向上させることができる。また、電磁調理器１０００の下の空間は鍋、フライパンなどの調理器具を収納するという使い方も可能である。
【０１０９】
図１５を参照して説明したように、電磁調理器１０００の底面の両端には平坦部１０１２が形成されている。これにより、電磁調理器１０００の筐体１０１０の底面に接触する支持装置７００の上端縁に凹凸を設ける必要がなく略フラットに形成することができる。これは、第２の実施の形態における第１の構成例で説明したものと同様である。
【０１１０】
以上のようにして支持装置７００が構成されている。このような平面視略コ字状の支持装置７００でも安定した状態で電磁調理器１０００を支持することができる。なお、電磁調理器１０００は、卓上型、据置き型、どちらの型であっても支持体を用いて支持することができる。
【０１１１】
＜３．第３の実施の形態＞
［３−１.調理器の構成］
電磁調理器１０００の構成は第２の実施の形態と同様であるため、その説明を省略する。
【０１１２】
［３−２.支持装置の構成］
第３の実施の形態における支持装置６００は、平面視略Ｉ字状に構成された第１支持体６００Ａおよび第２支持体６００Ｂとから構成されている。第１支持体６００Ａおよび第２支持体６００Ｂの構成は、第２の実施の形態の第１の構成例で説明したものと同様である。
【０１１３】
図２７に示すように、支持装置６００を構成する第１支持体６００Ａおよび第２支持体６００Ｂは、それぞれヒンジ８００、８００を用いて電磁調理器１０００に接続されている。ヒンジ８００で接続することにより、第１支持体６００Ａと第２支持体６００Ｂを起立状態と倒伏状態との間で状態を変化させることが可能となる。ヒンジ８００は例えば、平蝶番などと称される、電磁調理器１０００に取り付けられる側の１片と、第１支持体６００Ａ（第２支持体６００Ｂ）に取り付けられる側の１片とを軸で相対回転可能に接続したものである。ただし、ヒンジ８００はこのような構成に限られず、第１支持体６００Ａおよび第２支持体６００Ｂを起立状態と倒伏状態とで変化させることができるものであればどのようなものを採用してもよい。また、第１支持体６００Ａおよび第２支持体６００Ｂを起立状態と倒伏状態とで変化させることができるものであればヒンジ以外のものを採用してもよい。図２７Ａは、第１支持体６００Ａと第２支持体６００Ｂの倒伏状態であり、図２７Ｂは、ヒンジ８００を構成する２片を相対回転させている状態であり、図２７Ｃは第１支持体６００Ａと第２支持体６００Ｂの起立状態である。なお、倒伏状態とは、第１支持体６００Ａおよび第２支持体６００Ｂが電磁調理器１０００の幅方向に対してほぼ平行となり、電磁調理器１０００の位置が起立状態に比べて低くなっている状態である。起立状態とは、第１支持体６００Ａおよび第２支持体６００Ｂが電磁調理器１０００の幅方向に対してほぼ直交し、電磁調理器１０００の位置が倒伏状態に比べて高くなっている状態である。
【０１１４】
倒伏状態においては、第１支持体６００Ａは電磁調理器１０００の内側方向に折りたたむために、ヒンジ８００を第１支持体６００Ａの内側面部６０３側に接続される必要がある。これは、第２支持体６００Ｂにおいても同様である。第１支持体６００Ａと第２支持体６００Ｂを倒伏状態にすることにより、第１支持体６００Ａと第２支持体６００Ｂを電磁調理器１０００に接続した状態のままコンパクトにし、収納しやすくすることができる。
【０１１５】
また、ヒンジ８００で電磁調理器１０００に接続された第１支持体６００Ａと第２支持体６００Ｂを起立状態で固定するために固定機構９００を用いてもよい。固定機構９００の第１の例は、図２８に示すように第１支持体６００Ａと第２支持体６００Ｂにそれぞれ設けられた溝部９０１と、第３支持体９０２とから構成されている。
【０１１６】
図２８Ａに示すように、溝部９０１は、第１支持体６００Ａの内側面部６０３において、内側面部６０３の下端から上端に向けて第１支持体６００Ａの高さ方向に沿って形成されている。第２支持体６００Ｂについても同様である。
【０１１７】
第３支持体９０２は、図２８Ａに示すように板状の部材として構成されている。第３支持体９０２は、厚さが溝部９０１の幅と略同等、高さが第１支持体６００Ａと略同等、幅が第１支持体６００Ａの溝部９０１と第２支持体６００Ｂの溝部９０１間の距離と略同等のものとして構成されている。
【０１１８】
そして、図２８Ｂに示すように、第１支持体６００Ａの溝部９０１および第２支持体６００Ｂの溝部９０１に第３支持体９０２をスライドさせながら嵌め合わせる。そして、第３支持体９０２の上端が電磁調理器１０００の底面まで達すると、図２８Ｃに示すように第１支持体６００Ａと第２支持体６００Ｂと第３支持体９０２とで平面視略Ｈ字状の支持装置が構成される。
【０１１９】
このように構成することにより、第３支持体９０２がヒンジ８００を構成する２片の相対回転を規制するため、第３支持体９０２が嵌め合わされている状態においては、第１支持体６００Ａおよび第２支持体６００Ｂが起立状態で固定されて倒伏状態になることがない。これにより、第１支持体６００Ａと第２支持体６００Ｂを起立状態にして電磁調理器１０００を使用している場合に第１支持体６００Ａと第２支持体６００Ｂが誤って倒伏状態になってしまうことを防止することができる。これにより、安定した状態で電磁調理器１０００を使用することができる。さらに、第１支持体６００Ａ、第２支持体６００Ｂに加えて第３支持体９０２でも電磁調理器１０００を支持することになるため、より安定した状態で電磁調理器１０００を支持することができる。
【０１２０】
なお、第３支持体９０２を電磁調理器１０００の後端側において第１支持体６００Ａおよび第２支持体６００Ｂに嵌め合わせて、嵌め合わせた状態が平面視略コ字状となるようにしてもよい。このような構成でも上述した平面視略Ｈ字状と同様の効果を奏することができる。
【０１２１】
また、支持装置６００を起立状態で固定する方法として図２９に示す固定機構９５０を採用してもよい。図２９Ａ、図２９Ｂは、第１支持体６００Ａ側の固定機構９５０を示す背面視部分拡大図であり、図２９Ｃは第１支持体６００Ａ側の固定機構９５０を示す側面図である。なお、説明の便宜上、図２９では第１支持体６００Ａ側を拡大して示して説明を行うが、第２支持体６００Ｂ側においても同様の構成の固定機構９５０が設けられている。
【０１２２】
固定機構９５０は、図２９Ａに示すように、第１支持体６００Ａに設けられた突起状の係合突起部９５１と、電磁調理器１０００に設けられ、係合突起部９５１が挿入される係合穴部９６１とから構成される。
【０１２３】
係合突起部９５１は、第１支持体６００Ａの上端から上方に向けて突出する突起状に構成されている。係合穴部９６１は、電磁調理器１０００の底面における、第１支持体６００Ａを電磁調理器１０００に接続する際に係合突起部９５１に対応する位置おいて開口するように設けられている。ヒンジ８００を構成する２片を相対回転させて第１支持体６００Ａを倒伏状態から起立状態にすると、係合突起部９５１が係合穴部９６１に挿入される。
【０１２４】
なお、図２９Ｃに示すように本実施の形態においては、係合突起部９５１と係合穴部９６１はそれぞれ２つずつ設けられている。
【０１２５】
図３０は係合突起部９５１と、係合穴部９６１の形状を示す部分拡大断面図である。図３０においては、第１支持体６００Ａについて示すが、第２支持体６００Ｂにおいても固定機構９５０の構成は同様である。係合突起部９５１と、係合穴部９６１の形状の第１の例においては、図３０Ａに示すように係合突起部９５１に略三角形状の引掛け部９５２が形成されている。また、係合穴部９６１内には凹み状の引掛け受け部９６２が形成されている。係合突起部９５１が係合穴部９６１に挿入されると係合突起部９５１の引掛け部９５２が係合穴部９６１内に引掛け受け部９６２に引っかかることによりヒンジ８００を構成する２片の相対回転が規制されて、第１支持体６００Ａが起立状態で固定される。
【０１２６】
また、係合突起部９５１と係合穴部９６１は、図３０Ｂの第２の例に示すように、係合突起部９５１は先端に球状の引掛け部９５２を備え、係合穴部９６１は内部に球状の引掛け受け部９６２を備えていてもよい。このような構成でも、係合突起部９５１が係合穴部９６１に挿入されると、引掛け部９５２が引掛け受け部９６２に引っかかり、第１支持体６００Ａを起立状態で固定することができる。
【０１２７】
また、係合突起部９５１と係合穴部９６１の一方または両方が例えばゴムなどの摩擦係数が高い部材で構成されている場合には、図３０Ｃの第３の例に示すように係合突起部９５１に引掛け部を設けず、係合穴部９６１に引掛け受け部を設けなくてもよい。このような構成でも、摩擦係数が高いことにより係合突起部９５１が係合穴部９６１の内面に引っかかり、支持装置６００を起立状態で固定することができる。
【０１２８】
さらに、図３０Ｄに示すように、第１支持体６００Ａの上面に開口するように突起部設置孔９５３を形成し、係合突起部９５１をその一端側である下端が突起部設置孔９５３内に位置するように設けてもよい。係合突起部９５１の下端には軸挿通孔９５４が形成されており、軸挿通孔９５４に、両端が第１支持体６００Ａに支持されている軸９５５を挿通することにより係合突起部９５１は支持されている。軸９５５で軸支することにより、係合突起部９５１は軸９５５を回転軸として図３０Ｄ中（１）方向および（２）方向に回動可能に構成されている。
【０１２９】
突起部設置孔９５３の内面と係合突起部９５１の間には例えばバネなどの弾性体９５６が設けられており、係合突起部９５１は弾性体９５６の付勢力により引掛け受け部９６２が存在する方向である図３０Ｄ中（１）方向に常に付勢されている。係合突起部９５１には引掛け部９５２が形成されており、係合穴部９６１内には凹み状の引掛け受け部９６２が形成されている。係合突起部９５１が係合穴部９６１内に挿入され、引掛け部９５２が引掛け受け部９６２に到達すると、弾性体９５６の付勢力により係合突起部９５１が（１）方向に回動して、引掛け部９５２が引掛け受け部９６２に引っかかった状態が維持される。これによりヒンジ８００を構成する２片の相対回転が規制されて、第１支持体６００Ａが起立状態で固定される。第１支持体６００Ａの起立状態を解除する場合は、使用者が図示しない操作部を操作して引掛け部９５２が引掛け受け部９６２から離間する方向である（２）方向に係合突起部９５１を回動させればよい。これにより、引掛け部９５２が引掛け受け部９６２に引っかかっている状態を解除することができる。なお、弾性体９５６はバネに限られず、係合突起部９５１を付勢するものであればどのようなものでもよい。
【０１３０】
第１支持体６００Ａは図１６、図１７などを参照して説明したように上面が開口するように構成されている。よって、上述した係合突起部９５１を設けるためには、第１支持体６００Ａの上面に係合突起部９５１を支持する支持部を渡設するとよい。または、第１鍔部６２０、第２鍔部６３０のいずれかまたは両方に係合突起部９５１を設けるようにしてもよい。さらには、第１支持体６００Ａの上面の全部または一部をある程度の厚みを有する部材などで塞ぎ、その上に係合突起部９５１を設けるようにしてもよい。
【０１３１】
このように、係合突起部９５１と係合穴部９６１とは、第１支持体６００Ａおよび第２支持体６００Ｂを起立状態で固定することができるものであればどのような形状であってもよい。また、係合突起部９５１および係合穴部９６１の数は２つに限られるものではなく、２以上でも以下でもよい。
【０１３２】
＜４．変形例＞
以上、本発明の実施の形態について具体的に説明したが、本発明は上述の実施の形態に限定されるものではなく、本発明の技術的思想に基づく各種の変形が可能である。実施の形態においては、調理器として電磁調理器を挙げて説明を行ったが、支持装置により支持する調理器は電磁調理器に限定されるものではなく、ガスを用いた調理器、電力を用いた調理器であるいわゆるホットプレートなどでもよい。
【０１３３】
第２および第３の実施の形態では、排気口６０が電磁調理器１０００の筐体１０１０の背面側に設けたものを示したが、筐体１０１０の背面側に加え、右側面や左側面の背面寄りの部分にも設けるようにしても良い。
【０１３４】
実施形態においては加熱部が２個の電磁調理器を示したが、加熱部の数は２個に限定されるものではない。加熱部の数がいくつであっても本発明に係る支持装置を適用することは可能である。また、加熱部は１００Ｖのものに限られず、例えば２００Ｖのものであってもよい。さらに、誘導加熱に基づく加熱部が２つ以上ある場合には、誘導加熱以外の原理による加熱部を有するものであってもよい。
【０１３５】
略I字状の支持装置６００においては、第１支持体６００Ａと第２支持体６００Ｂはそれぞれ電磁調理器１０００の幅方向両端の下方に位置している必要はなく、電磁調理器１０００を安定した状態で支持することができれば電磁調理器１０００の下方のどこに位置してもよい。さらに、第１支持体６００Ａと第２支持体６００Ｂは平行に設けられる必要もない。ただし、第１支持体６００Ａと第２支持体６００Ｂとの間の距離を近づけ過ぎると安定した状態で電磁調理器１０００を支持することができなくなるので、第１支持体６００Ａと第２支持体６００Ｂとの間の距離はある程度離す必要がある。
【０１３６】
さらに、略I字状の支持装置６００においては、第１支持体６００Ａと第２支持体６００Ｂは略平行に配置する必要もなく、例えば、前方または後方に向かって広がる、または、左方向または右方向に向かって広がる略ハ字状、略Ｖ字状に配置するようにしてもよい。
【０１３７】
支持装置７００の形状は、図３１および図３２に示すように、第２の実施の形態における第３支持部７００Ｃが前面部７０４側にずれて配置された平面視略Ｈ字状であっても構わない。略Ｈ字状であっても、安定した状態で電磁調理器を支持することができる。
【０１３８】
さらに、支持装置の形状は、上述した略Ｌ字状、略I字状、略コ字状、略Ｈ字状に限定されるものではない。電磁調理器を安定した状態で支持することができればどのような形状であってもよい。例えば、Ｔ字状、口字状、Ｎ字状などの形状であっても支持装置で電磁調理器を安定した状態で支持することができる。
【０１３９】
略コ字状または略Ｈ字状である支持装置７００においても、電磁調理器１０００の前後方向に沿う第１支持部７００Ａ、第２支持部７００Ｂは電磁調理器１０００の幅方向両端の下方に位置している必要はない。また、電磁調理器１０００の幅方向に沿う第３支持部７００Ｃも電磁調理器１０００の後端の下方に位置している必要はない。電磁調理器１０００を安定した状態で支持することができれば電磁調理器１０００の下方のどこに位置してもよい。
【０１４０】
また、支持装置７００においては、第１支持部７００Ａおよび第２支持部７００Ｂと第３支持部７００Ｃは直交するように構成されている必要もない。さらに、第１支持部７００Ａおよび第２支持部７００Ｂと第３支持部７００Ｃは、同一部材として構成されている必要もない。さらに、第１支持部７００Ａおよび第２支持部７００Ｂと第３支持部７００Ｃは、他部材と構成され、接続されている必要もない。第１支持部７００Ａと第３支持部７００Ｃとが離間して隙間が存在していても電磁調理器１０００を安定した状態で支持することは可能である。第２支持部７００Ｂと第３支持部７００Ｃも同様に同一部材として構成されている必要もなく、接触している必要もなく、第２支持部３００Ｂと第２支持部３００Ｂとが離間しており、隙間が存在していてもよい。
【０１４１】
上述した形態では、略コ字状の支持装置７００は一つの成形品として構成されている。ただし、支持装置７００はそれに限られず、図３３に示すように、平面視略において略Ｌ字状に構成された第１支持体７００Ｄ、第２支持体７００Ｅを組み合わせることにより構成されてもよい。このように２つの支持体により構成してよいのは、図３１に示した略Ｈ字状の支持装置７００においても同様である。
【０１４２】
本発明は、第１乃至第３の実施形態のいずれにおいても、支持装置は電磁調理器に対して着脱可能に接続されてもよいし、取り外し不可能な状態に接続されてもよい。また、販売時には接続されており、ユーザでは取り外しが不可能な構成としてもよいし、一体物として構成されてもよい。さらに、電磁調理器と支持装置とを非接続状態で調理器セットとしてユーザに提供、販売してもよいし、接続した状態で脚付き調理器としてユーザに提供、販売してもよい。
【０１４３】
なお、支持装置が電磁調理器に対して着脱可能に接続される場合、高さが異なる複数の支持装置を提供し、ユーザが支持装置の高さを選択することができるようにしてもよい。これにより、ユーザが設置環境、設置位置、使用環境などに合わせて電磁調理器の高さを調節することができる。電磁調理器とセットにして複数の高さが異なる支持装置を販売してもよいし、電磁調理器とセットにして販売するのは１つの支持装置とし、高さが異なる支持装置は別売りとして提供してもよい。
【０１４４】
また、支持装置自体が高さ調節機構を備えるようにしてもよい。高さ調節機構としては、支持装置を上側と下側を別部材で構成し、一方の部材が他方の部材に対して上下方向にスライド可能とし、スライドさせることにより高さを調節して、ボルト・ナットなどで固定するなどの手法がある。支持装置自体の高さを調節することができればどのような構造であってもよい。
【符号の説明】
【０１４５】
１、１０００・・・・・・・・・電磁調理器
２、１０１０・・・・・・・・・筐体
８１Ａ、８１Ｂ・・・・・・・・第１ガイドリブ挿入穴
８２Ａ、８２Ｂ・・・・・・・・第２ガイドリブ挿入穴
１００・・・・・・・・・・・・右側支持体
１０２Ａ、６４１、７４１・・・第１組み立てガイドリブ
１０３Ａ、６４２、７４２・・・第２組み立てガイドリブ
１４０・・・・・・・・・・・・前方鍔部
１５０・・・・・・・・・・・・後方鍔部
１７０、６６０、７６０・・・・孔部
１８０、６７０、７７０・・・・切り欠き部
２００・・・・・・・・・・・・左側支持体
６００、７００・・・・・・・・支持装置
６００Ａ、７００Ａ・・・・・・第１支持部
６００Ｂ、７００Ｂ・・・・・・第２支持部
６２０、７２０・・・・・・・・第１鍔部
６３０、７３０・・・・・・・・第２鍔部
７００Ｃ・・・・・・・・・・・第３支持部
８００・・・・・・・・・・・・ヒンジ
９００、９５０・・・・・・・・固定機構
【図１】
0006412833.tif 000002
【図２】
0006412833.tif 000003
【図３】
0006412833.tif 000004
【図４】
0006412833.tif 000005
【図５】
0006412833.tif 000006
【図６】
0006412833.tif 000007
【図７】
0006412833.tif 000008
【図８】
0006412833.tif 000009
【図９】
0006412833.tif 000010
【図１０】
0006412833.tif 000011
【図１１】
0006412833.tif 000012
【図１２】
0006412833.tif 000013
【図１３】
0006412833.tif 000014
【図１４】
0006412833.tif 000015
【図１５】
0006412833.tif 000016
【図１６】
0006412833.tif 000017
【図１７】
0006412833.tif 000018
【図１８】
0006412833.tif 000019
【図１９】
0006412833.tif 000020
【図２０】
0006412833.tif 000021
【図２１】
0006412833.tif 000022
【図２２】
0006412833.tif 000023
【図２３】
0006412833.tif 000024
【図２４】
0006412833.tif 000025
【図２５】
0006412833.tif 000026
【図２６】
0006412833.tif 000027
【図２７】
0006412833.tif 000028
【図２８】
0006412833.tif 000029
【図２９】
0006412833.tif 000030
【図３０】
0006412833.tif 000031
【図３１】
0006412833.tif 000032
【図３２】
0006412833.tif 000033
【図３３】
0006412833.tif 000034